(57)【特許請求の範囲】
【請求項１】
ＰＴＰシートにより包装される医薬品に関する情報を表示するシートからなり、
前記シートに、前記ＰＴＰシート包装の医薬品を被包可能な大きさ、形状に切り離し線を付設されて前記シートから切り抜き可能に形成され、前記ＰＴＰシート包装の医薬品を包装可能な組み立て式の医薬品包装用ケース基材を備え、
前記医薬品包装用ケース基材は、前記ＰＴＰシートの複数のポケットを有する表側のシートを覆うための表面部と、前記表面部に折れ線を介して連続し、前記ＰＴＰシートの裏側のシートを覆うための裏面部と、前記表面部又は前記裏面部の両端に折れ線を介して連続し、前記表面部及び前記裏面部の両端間を塞ぐための両端面部と、前記表面部及び前記裏面部の相互に離れた側部間を固定するためのロック手段とを有し、
前記表面部の前記ＰＴＰシートの前記各ポケットに対応する位置に前記各ポケットを押圧可能に切り込み線を付けて可動部が形成され、前記裏面部の前記ＰＴＰシートの前記各ポケットに対応する位置に前記可動部を押圧して前記ポケットを押すことによっては切り開けない切り込み線を付けて、前記裏面部の切り込み線に沿って切り開くことによって前記可動部を前記ポケットとともに押し込み可能にして前記ポケットから医薬品を取り出し可能な開閉部又は破断部が形成され、
前記シートは前記ＰＴＰシート包装の医薬品に関する情報シートとして、前記医薬品包装用ケース基材は前記ＰＴＰシート包装の医薬品を包装するための医薬品包装用ケースとして使用される、
ことを特徴とする医薬品包装用多目的シート。
【請求項２】
シートは紙材又は合成樹脂材からなる請求項１に記載の医薬品包装用多目的シート。
【請求項３】
裏面部の開閉部又は破断部は切り込み線がＰＴＰシートの各ポケットに対応して略升目状に形成され、開閉部又は破断部毎に当該切り込み線の一部が切り開き用に円弧状に形成される請求項１又は２に記載の医薬品包装用多目的シート。
【請求項４】
裏面部の開閉部又は破断部は切り込み線がＰＴＰシートの各ポケットに対応して略升目状に形成され、一端の開閉部又は破断部に近接して当該一端の開閉部又は破断部の切り開き用に切欠部が形成される請求項１又は２に記載の医薬品包装用多目的シート。
【請求項５】
両端面部はＰＴＰシートの表面両端部を押え可能な大きさ、形状に形成され、その先端に前記ＰＴＰシートの両端部側のポケットの周囲の一部に係合可能な凹部を有する請求項１乃至４のいずれかに記載の医薬品包装用多目的シート。
【請求項６】
ロック手段は、表面部又は裏面部の一方の側部側に形成され、前記表面部又は前記裏面部の側部に沿って延びる切り込み線からなるロック片挿通部と、他方の側部側で前記ロック片挿通部に対応する位置に形成され、前記ロック片挿通部に挿通可能な凸形状からなるロック片及び前記ロック片の一部に形成され、前記ロック片の前記ロック片挿通部に挿通された状態で前記ロック片挿通部の縁部に係止可能な爪部とからなる請求項１乃至５のいずれかに記載の医薬品包装用多目的シート。
【請求項７】
紙材又は合成樹脂材のシートからなり、ＰＴＰシート包装の医薬品を被包可能な大きさ、形状に形成されて、
前記ＰＴＰシートの表側のシートを覆うための表面部と、前記表面部に折れ線を介して連続し、前記ＰＴＰシートの裏側のシートを覆うための裏面部と、前記表面部又は前記裏面部の両端に折れ線を介して連続し、前記表面部及び前記裏面部の両端間を塞ぐための両端面部と、前記表面部及び前記裏面部の相互に離れた側部間を固定するためのロック手段とを有し、
前記表面部の前記ＰＴＰシートの各ポケットに対応する位置に前記各ポケットを押圧可能に切り込み線を付けて可動部が形成され、前記裏面部の前記ＰＴＰシートの前記各ポケットに対応する位置に前記可動部を押圧して前記ＰＴＰシートのポケットを押すことによっては切り開けない切り込み線を付けて、前記裏面部の切り込み線に沿って切り開くことによって前記可動部を前記ポケットとともに押し込み可能にして前記ポケットから医薬品を取り出し可能な開閉部又は破断部が形成され、
前記ＰＴＰシート包装の医薬品を包装可能に組み立て式に形成されて、前記ＰＴＰシート包装の医薬品を包装するための医薬品包装用ケースとして使用される、
ことを特徴とする医薬品包装用ケース基材。
【請求項８】
両端面部は、ＰＴＰシートの表面両端部を押え可能な大きさ、形状に形成され、その先端に前記ＰＴＰシートの両端部側のポケットの周囲の一部に係合可能な凹部を有する請求項７に記載の医薬品包装用ケース基材。
【請求項９】
表面部及び／又は裏面部に、ＰＴＰシート包装の医薬品に関する情報が表示される請求項７又は８に記載の医薬品包装用ケース基材。
【発明の詳細な説明】
【技術分野】
【０００１】
本発明は、ＰＴＰシートに包装された医薬品に関する情報を提供し、かつ当該ＰＴＰシート包装の医薬品の携帯に便利で、子供の誤飲を防止でき、さらに服薬の管理に用いることができるなど多目的に利用できる組み立て式の医薬品包装用ケースを付設された医薬品包装用多目的シート及び医薬品包装用ケース基材に関する。
【背景技術】
【０００２】
一般に、医療機関で提供される医薬品、特に内服薬には、錠剤、カプセル、粉末などがあり、それぞれ、製薬メーカーで包装されたパッケージの形で供給される。この場合、錠剤やカプセル（以下、単に錠剤等という。）の包装には、ＰＴＰ（プレススルーパッケージ）シートが広く用いられている。このＰＴＰシートは、錠剤等を１錠ずつ収容するための複数のポケットを有する表側のシートとしての透明プラスチック成形フィルムと、この錠剤の名称、内容量、製造元などが印刷され、プラスチック成形フィルムの裏面側に接着されて複数のポケットを封止する裏側のシートとしてのアルミシートとからなり、透明プラスチック成形フィルムの各ポケットに錠剤等を収容した後、このプラスチック成形フィルムの裏面にアルミシートを加熱接着して、錠剤等を封入するようになっている。また、このＰＴＰシートは通常、縦又は横又はその両方に切り込み（ミシン目）が付けられていて、このＰＴＰシートの錠剤等を１錠単位又は複数錠単位で切り離せるようになっている。なお、以下の説明では、錠剤等を１錠単位又は複数錠単位で切り離せるようにした部分をプレススルーパッケージと称することにする。このようにして錠剤を服用するときに、透明プラスチック成形フィルムのポケット側から錠剤を押すことにより、裏面のアルミシートがその錠剤の位置で破れて、錠剤を簡易に取り出すことができる。
このように医療機関から提供される錠剤等は取扱いやすいＰＴＰシートで包装されているので、患者は錠剤等の服用を容易に行うことができる。
【０００３】
さて、このように便利なＰＴＰシートであるが、錠剤等を１錠ずつ容易に取り出しできること、１シートに複数の錠剤等をまとめて収容できることから、ユーザー側からはその保管管理上、服用管理上、次のような問題が指摘されている。
（医薬品の保管管理上の問題）
近時、子供による医薬品の誤飲事故が増えていることが報道などにより知られており、ＰＴＰシートに包装された医薬品もその例外ではない。概ね６か月から１歳半くらいの子供の場合、身近にあるものを手に取り、口に入れてなめたり噛んだりすることが多く、医薬品も身近にあれば同様で、ＰＴＰシートの場合、医薬品を容易に取り出しできることから、医薬品を飲み込みやすい。１歳半から２歳くらいの子供になると、医薬品をお菓子と間違えたり保護者の医薬品を服用する姿を模倣したりして飲んでしまうことがあり、ＰＴＰシートの場合、医薬品を容易に取り出しできることから、医薬品の誤飲が起きやすい。したがって、医薬品は子供の手の届かないところに保管することが重要であることは勿論のこと、子供が医薬品を手にした場合でも、ＰＴＰシートから錠剤等を容易には取り出せないようにすることが必要である。
（医薬品の服用管理上の問題）
医薬品は決められた用法により服用することが必要である。ところが、薬の用法が１日一回か複数回かに関らず、決められた時間帯に薬を飲むのを忘れたり、決められた時間帯に薬を飲んだことを失念して二重に飲んでしまったり、決められた時間帯に薬を飲んでいないにも拘わらず飲んだか飲まなかったかが不明となり、結果として飲まなかったりなど、医師に処方された医薬品をその用法通りに服用できないことが少なくない。１枚のＰＴＰシートには複数の錠剤等が収容されているため、医薬品を飲んだか飲まなかったかの判別をより困難にしている。したがって、医薬品の服用忘れや二重の服用を防止するための手立てが求められる。
【０００４】
前述の医薬品の保管管理上の問題に対しては、従来、誤飲防止ラベルが特許文献１により提案されている。
この文献１の誤飲防止ラベルは２層（剥離層、薄膜）からなり、ＰＴＰシートに適した形状にカットされ、ＰＴＰシートのプレススルーパッケージ毎にジッパー線が設けられて、ＰＴＰシートのアルミシートに粘着剤で貼り付けるようになっている。このラベルをＰＴＰシートのアルミシート上に貼り付けることで、アルミシートが遮蔽状態となり、ＰＴＰシートのポケットを押してもアルミシートは破断されず、錠剤等を取り出すことができない。そして、このＰＴＰシートから錠剤等を取り出すときは、ＰＴＰシートのアルミシートに貼り付けられたラベルのうち一端のプレススルーパッケージに対応する一部から剥離層を引き剥がして、錠剤等を取り出す開放状態とする。このとき、ラベルに形成されたジッパー線が切断され、錠剤等の取り出しに必要な部分のみが剥がされて開放状態となり、他の部分は遮蔽状態が維持される。この開放状態で、ＰＴＰシートのポケットを押すと、錠剤等がアルミシートに当接して破断し、アルミシートとともに薄膜も破断されて開口し、錠剤等を取り出すことができる。残りの錠剤等も順次同様にして取り出すことができる。
このような誤飲防止ラベルを用いることにより、ＰＴＰシート内に錠剤等を安全に収容保持し、子供がＰＴＰシートから錠剤等を取り出せないようにして、子供による錠剤等の誤飲を防止することができる。
また、前述の医薬品の服用管理上の問題に対しては、従来、薬の服用方法をサポートするため、薬を小分けにして収納するためのカレンダー式の薬収納具や箱などが提案され、その一例が特許文献２により開示されている。
この文献２の薬収納具は、薬を服用する人のために薬を服用時期に応じて分けて収納するもので、ボードの上に週間服用表が服用時期と服用日付を縦横の表として形成され、週間服用表の上に着脱手段を設けた薬収納袋配置部が配設され、各々の薬収納袋配置部に薬を服用時期に分けて収納する薬収納袋が装着されるようになっている。
このようなカレンダー式の薬収納具や容器を用いて、薬を服用すべき日、時間帯毎に薬を小分けにしておけば、各日、各時間帯の薬収納袋内を確認することで、薬を服用済みか否かが即時に分かり、薬の服用忘れや二重の服用を防止することができる。
【先行技術文献】
【特許文献】
【０００５】
【特許文献１】特開２０１５−９８８８号公報
【特許文献２】実用新案登録第３１１７８１１号公報
【発明の概要】
【発明が解決しようとする課題】
【０００６】
しかしながら、医薬品の保管管理上の問題に対して、上記従来の誤飲防止ラベルを使用する場合、ＰＴＰシート１枚毎にラベルをＰＴＰシートのアルミシート上に位置合せして張り付ける精度の高い作業が必要で、この作業を医薬品のユーザー又は薬剤師などの医療従事者が手作業で行う場合、負担が大きく、多くの手間が掛り、煩雑である、という問題がある。
また、医薬品の服用管理上の問題に対して、上記従来の薬収納具を使用する場合、薬を服用すべき日、時間帯毎に小分けにする作業が手作業となり、薬の数だけ多くの手間が掛り、煩雑である、という問題がある。また、他面で、錠剤等の場合、錠剤等がＰＴＰシートで包装されているので、錠剤等を小分けしている間にＰＴＰシートのアルミシートを破いてしまうことがあり、ＰＴＰシートを破損してしまうと、薬の保存上好ましくない、という問題もある。
【０００７】
本発明は、このような従来の問題を解決するものであり、医薬品に関する情報を提供し、かつＰＴＰシートに包装された医薬品の携帯に便利で、子供の誤飲を防止でき、さらに服薬の管理に用いることができるなど多目的に利用できる組み立て式の医薬品包装用ケースを付設された医薬品包装用多目的シート及び医薬品包装用ケース基材を提供すること、を目的とする。
【課題を解決するための手段】
【０００８】
上記目的を達成するために、本発明の医薬品包装用多目的シートは、
ＰＴＰシートにより包装される医薬品に関する情報を表示するシートからなり、
前記シートに、前記ＰＴＰシート包装の医薬品を被包可能な大きさ、形状に切り離し線を付設されて前記シートから切り抜き可能に形成され、前記ＰＴＰシート包装の医薬品を包装可能な組み立て式の医薬品包装用ケース基材を備え、
前記医薬品包装用ケース基材は、前記ＰＴＰシートの複数のポケットを有する表側のシートを覆うための表面部と、前記表面部に折れ線を介して連続し、前記ＰＴＰシートの裏側のシートを覆うための裏面部と、前記表面部又は前記裏面部の両端に折れ線を介して連続し、前記表面部及び前記裏面部の両端間を塞ぐための両端面部と、前記表面部及び前記裏面部の相互に離れた側部間を固定するためのロック手段とを有し、
前記表面部の前記ＰＴＰシートの前記各ポケットに対応する位置に前記各ポケットを押圧可能に切り込み線を付けて可動部が形成され、前記裏面部の前記ＰＴＰシートの前記各ポケットに対応する位置に前記可動部を押圧して前記ポケットを押すことによっては切り開けない切り込み線を付けて、前記裏面部の切り込み線に沿って切り開くことによって前記可動部を前記ポケットとともに押し込み可能にして前記ポケットから医薬品を取り出し可能な開閉部又は破断部が形成され、
前記シートは前記ＰＴＰシート包装の医薬品に関する情報シートとして、前記医薬品包装用ケース基材は前記ＰＴＰシート包装の医薬品を包装するための医薬品包装用ケースとして使用される、
ことを要旨とする。
また、この医薬品包装用多目的シートは各部に次のような構成を有することが好ましい。
（１）シートは紙材又は合成樹脂材からなる。
（２）裏面部の開閉部又は破断部は切り込み線がＰＴＰシートの各ポケットに対応して略升目状に形成され、開閉部又は破断部毎に当該切り込み線の一部が切り開き用に円弧状に形成される。
また、裏面部の開閉部又は破断部は切り込み線がＰＴＰシートの各ポケットに対応して略升目状に形成され、一端の開閉部又は破断部に近接して当該一端の開閉部又は破断部の切り開き用に切欠部が形成されてもよい。
（３）両端面部はＰＴＰシートの表面両端部を押え可能な大きさ、形状に形成され、その先端に前記ＰＴＰシートの両端部側のポケットの周囲の一部に係合可能な凹部を有する。
（４）ロック手段は、表面部又は裏面部の一方の側部側に形成され、前記表面部又は前記裏面部の側部に沿って延びる切り込み線からなるロック片挿通部と、他方の側部側で前記ロック片挿通部に対応する位置に形成され、前記ロック片挿通部に挿通可能な凸形状からなるロック片及び前記ロック片の一部に形成され、前記ロック片の前記ロック片挿通部に挿通された状態で前記ロック片挿通部の縁部に係止可能な爪部とからなる。
なお、ここで、ＰＴＰシートは、既述のとおり、複数のポケットを有する表側のシートとこの表側のシートの裏面側に接着されて複数のポケットを封止する裏側のシートとからなり、表側のシートの各ポケットに錠剤等を収容した後、この表側のシートの裏面に裏側のシートを接着して錠剤等を封入するようになっている。特許請求の範囲の中に記載されるＰＴＰシートも同様である。
【０００９】
また、上記目的を達成するために、本発明の医薬品包装用ケース基材は、
紙材又は合成樹脂材のシートからなり、ＰＴＰシート包装の医薬品を被包可能な大きさ、形状に形成されて、
前記ＰＴＰシートの表側のシートを覆うための表面部と、前記表面部に折れ線を介して連続し、前記ＰＴＰシートの裏側のシートを覆うための裏面部と、前記表面部又は前記裏面部の両端に折れ線を介して連続し、前記表面部及び前記裏面部の両端間を塞ぐための両端面部と、前記表面部及び前記裏面部の相互に離れた側部間を固定するためのロック手段とを有し、
前記表面部の前記ＰＴＰシートの各ポケットに対応する位置に前記各ポケットを押圧可能に切り込み線を付けて可動部が形成され、前記裏面部の前記ＰＴＰシートの前記各ポケットに対応する位置に前記可動部を押圧して前記ＰＴＰシートのポケットを押すことによっては切り開けない切り込み線を付けて、前記裏面部の切り込み線に沿って切り開くことによって前記可動部を前記ポケットとともに押し込み可能にして前記ポケットから医薬品を取り出し可能な開閉部又は破断部が形成され、
前記ＰＴＰシート包装の医薬品を包装可能に組み立て式に形成されて、前記ＰＴＰシート包装の医薬品を包装するための医薬品包装用ケースとして使用される、
ことを要旨とする。
この場合、両端面部は、ＰＴＰシートの表面両端部を押え可能な大きさ、形状に形成され、その先端に前記ＰＴＰシートの両端部側のポケットの周囲の一部に係合可能な凹部を有する。
この場合、表面部及び／又は裏面部に、ＰＴＰシート包装の医薬品に関する情報が表示される。
なお、ここで、ＰＴＰシートは、既述のとおりであり、特許請求の範囲の中に記載されるＰＴＰシートも同様である。
【発明の効果】
【００１０】
本発明の医薬品包装用多目的シートによれば、情報を表示するシートに、ＰＴＰシート包装の医薬品を包装可能な組み立て式の医薬品包装用ケース基材を切り抜き可能に備え、このシートをＰＴＰシート包装の医薬品に関する情報シートとして、医薬品包装用ケース基材をＰＴＰシート包装の医薬品を包装するための医薬品包装用ケースとして使用するようにしたので、このシートを医薬品のユーザー又は薬剤師などの医療従事者に配布することにより、医薬品に関する情報を提供することができるとともに、このシートに付いている組み立て式の医薬品包装用ケース基材をシートから離脱し組み立てて医薬品包装用ケースとして使用し、ＰＴＰシートに包装された医薬品をこのケースに収納することで、医薬品を保護することができる、医薬品を携帯しやすくすることができる、子供による医薬品の誤飲を防止することができる、ケースに服用する順番や日付、時間などを記入するなどして、服薬の管理に用いることができるなど多目的に利用することができる、という本発明独自の格別な効果を奏する。
また、本発明の医薬品包装用ケース基材によれば、ＰＴＰシート包装の医薬品を包装可能に組み立て式に形成されて、ＰＴＰシート包装の医薬品を包装するための医薬品包装用ケースとして使用するようにしたので、この医薬品包装用ケース基材を医薬品のユーザー又は薬剤師などの医療従事者に配布することにより、この医薬品包装用ケース基材を組み立てて医薬品包装用ケースとして使用し、ＰＴＰシートに包装された医薬品をこのケースに収納することで、医薬品を保護することができる、医薬品を携帯しやすくすることができる、子供による医薬品の誤飲を防止することができる、ケースに服用する順番や日付、時間などを記入するなどして、服薬の管理に用いることができるなど多目的に利用することができる、という本発明独自の格別な効果を奏する。
さらに、本発明の医薬品包装用多目的シート及び医薬品包装用ケース基材では、特に、表面部のＰＴＰシートの各ポケットに対応する位置に各ポケットを押圧可能に切り込み線を付けて可動部が形成され、裏面部のＰＴＰシートの各ポケットに対応する位置に可動部を押圧してポケットを押すことによっては切り開けない切り込み線を付けて、裏面部の切り込み線に沿って切り開くことによって可動部をポケットとともに押し込み可能にしてポケットから医薬品を取り出し可能な開閉部又は破断部が形成されたことで、万が一、子供がこの医薬品を収容したケースを手にして口に入れたり噛んだりしても、医薬品はケースで保護されるので、ケースから医薬品が飛び出ることはなく、また、子供がケースの表面部の可動部を押すようなことがあっても、可動部を押すだけでは裏面部の開閉部は開かないため、ケース内の医薬品を取り出すことはできず、子供による誤飲を防止することができる、という本発明独自の格別な効果を奏する。
【図面の簡単な説明】
【００１１】
【図１】本発明の第１の実施の形態としての医薬品包装用多目的シートの構成を示す図
【図２】同医薬品包装用多目的シートに付設された医薬品包装用ケース基材の使用例を示す図（シートから医薬品包装用ケース基材を切り取った状態を示す図）
【図３】同医薬品包装用多目的シートに付設された医薬品包装用ケース基材の使用例を示す図（医薬品包装用ケース基材の両端面部を裏面部上に折り畳んだ状態を示す図）
【図４】同医薬品包装用多目的シートに付設された医薬品包装用ケース基材の使用例を示す図（医薬品包装用ケース基材の両端面部を裏面部上に折り畳み、さらにその上に表面部を折り畳み、医薬品包装用ケースに組み立てた状態を示す図）
【図５】同医薬品包装用多目的シートに付設された医薬品包装用ケース基材の使用例を示す図（図４の状態を裏面部側から見た図）
【図６】同医薬品包装用多目的シートに付設された医薬品包装用ケース基材の使用例を示す図（組み立て後の医薬品包装用ケースの表面部を開き、ケース内にＰＴＰシート包装の医薬品を収容した状態を示す図）
【図７】同医薬品包装用多目的シートに付設された医薬品包装用ケース基材の使用例を示す図（医薬品包装用ケースにＰＴＰシート包装の医薬品を収容した後、表面部を閉じ、表面部側のロック片を裏面部側のロック片挿通部に係合させて、医薬品包装用ケースをロックした状態を示す図）
【図８】同医薬品包装用多目的シートに付設された医薬品包装用ケース基材の使用例を示す図（図７の状態を裏面部側から見た図）
【図９】同医薬品包装用多目的シートに付設された医薬品包装用ケース基材の使用例を示す図（医薬品包装用ケースから医薬品を取り出す手順を示す図）
【図１０】同医薬品包装用多目的シートの変更例を示す図
【図１１】本発明の第２の実施の形態としての医薬品包装用ケース基材の構成を示す図
【発明を実施するための形態】
【００１２】
次に、この発明を実施するための形態について図を用いて説明する。
図１にこの発明の第１の実施の形態として医薬品包装用多目的シート（以下、単に多目的シートと称する。）を示している。
なお、ここで医薬品はＰＴＰシート包装の錠剤等をいい、ＰＴＰシートは、既述のとおり、錠剤等を１錠ずつ収容するための複数のポケットを有する表側のシートとしての透明プラスチック成形フィルムと、この錠剤の名称、内容量、製造元などが印刷され、プラスチック成形フィルムの裏面側に接着されて複数のポケットを封止する裏側のシートとしてのアルミシートとからなり、透明プラスチック成形フィルムの各ポケットに錠剤等を収容した後、このプラスチック成形フィルムの裏面にアルミシートを加熱接着して、錠剤等を封入するようになっている。この実施の形態で例示するＰＴＰシートは、２錠の錠剤等を収容可能な２つのポケットを有する５つのプレススルーパッケージからなるタイプのものである。
【００１３】
図１に示すように、多目的シートＳは、ＰＴＰシートにより包装される医薬品に関する情報を表示するシート１からなり、このシート１に、ＰＴＰシート包装の医薬品を被包可能な大きさ、形状に切り離し線１０を付設されて、ＰＴＰシート包装の医薬品を包装可能な組み立て式の医薬品包装用ケース基材１１を離脱可能に備える。
【００１４】
この多目的シートＳは、シート１が紙材からなり、医薬品包装用ケース基材１１はこのシート１の一部にＰＴＰシート包装の医薬品を被包可能な大きさ、形状に切り離し線１０として切り取り線を付設されて切り取り可能に形成される（以下、切り離し線１０を切り取り線１０と称する）。
この場合、シート１は板紙のような比較的厚さがあり直立性のある紙材により、所謂Ａ４サイズの長方形の平板状に形成され、横長のシートとして使用される。医薬品に関する各種の情報は、シート１の表面及び／又は裏面において、このシート１に設けられる医薬品包装用ケース基材１１の内外に適宜分けて表示される。例えば、医薬品名はこのシート１の表面において医薬品包装用ケース基材１１の内外にそれぞれ表示され、この医薬品に関する服用方法、効能などは医薬品包装用ケース基材１１内に表示される。また、医薬品に関する各種の情報の他に、後述の医薬品包装用ケース基材１１の使用方法や組み立て方なども、シート１の表面及び／又は裏面において、このシート１に設けられる医薬品包装用ケース基材１１の内外に適宜分けて表示されてもよい。例えば、医薬品包装用ケース基材１１の使用方法や組み立て方などはこのシート１の裏面において医薬品包装用ケース基材１１内に表示される。
医薬品包装用ケース基材１１はこのシート１の紙面左右両側に形成される。これらの医薬品包装用ケース基材１１はそれぞれ、ＰＴＰシートの透明プラスチック成形フィルム側を覆うための表面部１１１と、表面部１１１の一側部に折れ線Ｌ１を介して連続し、ＰＴＰシートのアルミシート側を覆うための裏面部１１２と、表面部１１１又は裏面部１１２の両端に折れ線Ｌ２を介して連続し、表面部１１１及び裏面部１１２の両端間を塞ぐための両端面部１１３と、表面部１１１及び裏面部１１２の相互に離れた側部間を固定するためのロック手段２とを備えて構成される。
この場合、表面部１１１はＰＴＰシートの大きさよりも大きい縦長の略長方形に形成され、この表面部１１１にはＰＴＰシートの各ポケットの周囲に対応する位置に各ポケットを押圧可能に略Ｕ字形の切り込み線ｃ１を付けてこの切り込み線ｃ１内に可動部Ｐ１が形成される。なお、ここでは、この切り込み線ｃ１の３箇所（略Ｕ字形の中央とその両側の３箇所）に３点の繋ぎ部（ニック、トメなどともいう。以下、同じ）ｄ１を設けているが、この繋ぎ部は切り込み線ｃ１の２箇所（例えば、略Ｕ字形の中央と各端部との間の２箇所）にしてもよく、このようにすることで、可動部Ｐ１が押圧しやすくなる。高齢者など押す力が弱いユーザー向けには２点の繋ぎ部にすることが望ましい。
裏面部１１２は長手方向が表面部１１１の長手方向の寸法と同じで、短手方向の寸法が表面部１１１の短手方向の寸法よりも少し大きい縦長の略長方形に形成される。この裏面部１１２にはＰＴＰシートの各ポケットに対応する位置を切り開いて各ポケットの医薬品を取り出し可能に略コ字形の切り込み線ｃ２が付けられて開閉部Ｐ２が形成される。ここで開閉部Ｐ２は切り込み線ｃ２がＰＴＰシートの各ポケットに対応して２列に各列５個の升目状に形成され（但し、各開閉部Ｐ２は略コ字形の切り込み線ｃ２からなり、各開閉部Ｐ２の一辺、この場合、裏面部１１２の長手方向の両側部に近接する各一辺が折れ線Ｌ３として裏面部１１２に連続する。）、開閉部Ｐ２毎に当該切り込み線ｃ２の一部、この場合、一方の列の各升目と他方の列の各升目と間の切り込み線ｃ２の部分が切り開き用に円弧状に形成される。なお、ここでは、この円弧状の切り込み線ｃ２の部分の両側２箇所にそれぞれ２点ずつ繋ぎ部ｄ２を設けているが、この繋ぎ部は切り込み線ｃ２の両側にそれぞれ１箇所ずつとしてもよく、このようにすることで、開閉部Ｐ２が切り開きやすくなる。高齢者など指先の力が弱いユーザー向けには両側１点ずつの繋ぎ部にすることが望ましい。
上下の端面部１１３はそれぞれ、裏面部１１２の上下両端にＰＴＰシートの表面両端部を押え可能な大きさの略台形状に形成され、その先端にはＰＴＰシートの両端部側の各ポケットの周囲の一部に係合可能な半円状の凹部Ｎが併せて形成される。
ロック手段２は、表面部１１１又は裏面部１１２の一方の側部側に形成され、表面部１１１又は裏面部１１２の側部に沿って延びる切り込み線ｃ３からなるロック片挿通部２０と、他方の側部側でロック片挿通部２０に対応する位置に形成され、ロック片挿通部２０に挿通可能な凸形状からなるロック片２１及びロック片２１の一部に形成され、ロック片２１がロック片挿通部２０に挿通された状態でロック片挿通部２０の縁部に係止可能な爪部２１１とからなる。
この場合、ロック片挿通部２０は、裏面部１１２の表面部１１１と連続する一方の側部とは反対側の側部側の中央に、当該側部と平行で所定の長さに、かつその上下各端部を破断部Ｐ２方向外側に向けて斜めに、中間部を上部、中央部、下部とした場合に上部、下部に対して中央部を破断部Ｐ２側に変位させた段付き形状にして形成される。ロック片２１は、表面部１１１の裏面部１１２と連続する一方の側部とは反対側の側部側の中央に、ロック片挿通部２０を挿通可能に略円弧状の凸形状に形成され、爪部２１１はロック片２１がロック片挿通部２０に挿通された状態でロック片２１のロック挿通部２０の中央部に対応する位置に当該中央部に係止可能に略円弧状の凸形状に形成される。
【００１５】
多目的シートＳはこのようにして構成され、シート１をＰＴＰシート包装の医薬品に関する情報シートＳ１として、医薬品包装用ケース基材１１を、ＰＴＰシート包装の医薬品を包装するための医薬品包装用ケースＣ１１として使用するようになっている。
例えば、この多目的シートＳは調剤薬局などに置かれ、この多目的シートＳに表示された医薬品を使用するユーザーに配布され、シート１が医薬品に関する情報シートＳ１として、医薬品包装用ケース基材１１が医薬品を包装するための医薬品包装用ケースＣ１１として使用される。
図２乃至図９に医薬品包装用ケースＣ１１の使用例を示している。なお、以下の説明で、医薬品包装用ケースＣ１１を単にケースＣ１１という。
まず、図２に示すように、多目的シートＳからケース基材１１を切り離す。次いで、図３に示すように、このケース基材１１の上下の各端面部１１３を折れ線Ｌ２を介して裏面部１１２上に折り畳み、続いて、図４、図５に示すように、表面部１１１を折れ線Ｌ１を介して裏面部１１２上に折り畳んで、ケースＣ１１を組み立てる。この場合、ケース基材１１の各部を折り畳むだけなので、ケースＣ１１を簡単に組み立てることができる。
そして、このケースＣ１１を一旦開き、図６に示すように、この中にＰＴＰシートを収容する。この場合、ＰＴＰシートの裏面をケースＣ１１の裏面部１１２に合わせ、ＰＴＰシートの表面をケースＣ１１の表面部１１１に合わせてＰＴＰシートをケースＣ１１内に収容する。ＰＴＰシートをケースＣ１１内に収容したら、各端面部１１３でＰＴＰシートの各端部を押えるとともに各端面部１１３の凹部ＮをＰＴＰシートの両端部側の各ポケットの周囲に係合させる。これにより、ＰＴＰシートはケースＣ１１内で位置決めされ、表面部１１１の各可動部Ｐ１がＰＴＰシートの各ポケットの位置に対応し、裏面部１１２の各開閉部Ｐ２がＰＴＰシートの各ポケットに対応することになる。このようにして、図７、図８に示すように、表面部１１１を裏面部１１２にロック手段２を介して閉じ固定する。この場合、表面部１１１側のロック片２１を裏面部１１２側のロック片挿通部２０に通し、ロック片２１の爪部２１１をロック片挿通部２０の中央部に係止する。これによりロック片２１がロック片挿通部２０から抜け止めされて、表面部１１１と裏面部１１２が結合される。このように医薬品をケースＣ１１に簡単に収容することができる。
このようにＰＴＰシート包装の医薬品を紙材からなるケースＣ１１に収容したことで、医薬品を確実に保護することができ、医薬品を安心して携帯することができる。また、万が一、子供がこの医薬品を収容したケースＣ１１を手にして口に入れたり噛んだりしても、医薬品はケースＣ１１で保護されるので、ケースＣ１１から医薬品が飛び出ることはなく、また、子供がケースＣ１１の表面部１１１の可動部Ｐ１を押すようなことがあっても、可動部Ｐ１を押すだけでは裏面部１１２の開閉部Ｐ２は開かないため、ケースＣ１１内の医薬品を取り出すことはできず、子供による誤飲を防止することができる。
そして、このケースＣ１１から医薬品を取り出すときは、図９に示すように、まず、ケースＣ１１の裏面部１１２一端の開閉部Ｐ２を切り開いて開口する。この場合、開閉部Ｐ２の切り込み線ｃ２の円弧状の部分に指先を掛けて開閉部Ｐ２を一端から引き上げれば、この開閉部Ｐ２のみが切り込み線ｃ２に沿って切り取られ、開口する。続いて、この部分に対応する表面部１１１の可動部Ｐ１を押すと、ＰＴＰシートの一端のポケット側から錠剤が押されて、裏面のアルミシートがその錠剤の位置で破れ、裏面部１１２の開口を通して、錠剤を簡易に取り出すことができる。この場合、ケースＣ１１の表面部１１１の使用済みの可動部Ｐ１や裏面部１１２の使用済みの開閉部Ｐ２に服用した日時を記入することで、又は予め、服用の日時を記入しておくことで、医薬品の服用の管理を行うことができる。なお、医薬品の服用の管理は服用の日時に代えて、文字、数字、記号などを用いてもよい。
【００１６】
以上説明したように、この多目的シートＳによれば、情報を表示するシート１に、ＰＴＰシート包装の医薬品を包装可能な組み立て式のケース基材１１を離脱可能に備え、このシート１をＰＴＰシート包装の医薬品に関する情報シートＳ１として、ケース基材１１をＰＴＰシート包装の医薬品を包装するためのケースＣ１１として使用するようにしたので、この多目的シートＳを医薬品のユーザー又は薬剤師などの医療従事者に配布することにより、医薬品に関する情報とともにケース基材１１を提供することができ、この多目的シートＳに付いている組み立て式のケース基材１１をシート１から離脱し組み立てて、ＰＴＰシートに包装された医薬品をこのケースＣ１１に収納することで、医薬品を保護することができる、医薬品を携帯しやすくすることができる、子供による医薬品の誤飲を防止することができる、ケースＣ１１に服用する順番や日付、時間などを記入するなどして、服薬の管理に用いることができるなど、多目的に利用することができる。
【００１７】
なお、上記実施の形態では、シート１を紙材により形成したが、合成樹脂材、又は紙材と合成樹脂材の組み合わせにより形成してもよい。
また、ケース裏面部１１２の開閉部Ｐ２には切り込み線ｃ２の一部、この場合、一方の列の各升目と他方の列の各升目と間の切り込み線ｃ２の部分を切り開き用に円弧状に形成したが、これに代えて、図１０に示すように、一端の開閉部Ｐ２に近接して当該一端の開閉部Ｐ２の切り開き用に切欠部Ｐ３を形成してもよい。
さらに、ケース裏面部１１２の開閉部Ｐ２は破断部に代えてもよい。この場合、破断部は、ケース裏面部のＰＴＰシートの各ポケットに対応する位置に例えば四角形の切り込み線を付けて、全体として２列に各列５個の完全な升目状に形成する。また、この場合も、開閉部と同様に、切り込み線の一部に切り開きしやすい形状（例えば、円弧形状）を設けたり、一端の破断部に近接して当該一端の破断部の切り開き用に切欠部を形成してもよい。
また、両端面部１１３は裏面部１１２の両端に形成したが、表面部１１１の両端に形成してもよい。
このようにしても上記実施の形態と同様の作用効果を奏することができる。
また、上記実施の形態では、ケース基材１１をシート１の一部にＰＴＰシート包装の医薬品を被包可能な大きさ、形状に切り取り線１０を付けて切り取り可能に形成したが、シートを２層構造（表面側の層と裏面側の層）にして、表面側の層と裏面側の層とを粘着剤で接着し、ケース基材を表面側の層にＰＴＰシート包装の医薬品を被包可能な大きさ、形状に切り離し線を付けて離脱可能に形成してもよい。
このようにしても上記実施の形態と同様の作用効果を奏することができる。
【００１８】
図１１にこの発明の第２の実施の形態として医薬品包装用ケース基材（以下、単にケース基材と称する。）を示している。なお、第１の実施の形態の多目的シートは、既述のとおり、情報を表示するシートに、ＰＴＰシート包装の医薬品を包装可能な組み立て式のケース基材を離脱可能に備えたものであるが、この実施の形態のケース基材は、初めから、紙材又は合成樹脂材のシートにより、ＰＴＰシート包装の医薬品を包装可能に組み立て式に形成されたものである。ここで医薬品はＰＴＰシート包装の錠剤等をいい、第１の実施の形態で説明したとおりである。
【００１９】
図１１に示すように、ケース基材１１は、紙材又は合成樹脂材のシートからなり、ＰＴＰシート包装の医薬品を被包可能な大きさ、形状を有し、ＰＴＰシート包装の医薬品を包装可能に組み立て式に形成される。
この場合、ケース基材１１は、第１の実施の形態のケース基材１１と同様の構成を備える。
すなわち、ケース基材１１全体は、ＰＴＰシートの透明プラスチック成形フィルム側を覆うための表面部１１１と、表面部１１１に折れ線Ｌ１を介して連続し、ＰＴＰシートのアルミシート側を覆うための裏面部１１２と、（表面部１１１又は）裏面部１１２の両端に折れ線Ｌ２を介して連続し、表面部１１１及び裏面部１１２の両端間を塞ぐための両端面部１１３と、表面部１１１及び裏面部１１２の相互に離れた側部間を固定するためのロック手段２とを備える。
両端面部１１３はＰＴＰシートの表面両端部を押え可能な大きさ、形状に形成され、その先端にＰＴＰシートの両端部側のポケットの周囲の一部に係合可能な凹部Ｎを有する。
表面部１１１にＰＴＰシートの各ポケットに対応する位置に各ポケットを押圧可能に切り込み線ｃ１を付けて可動部Ｐ１が形成され、裏面部１１２にＰＴＰシートの各ポケットに対応する位置を切り開いて各ポケットの医薬品を取り出し可能に切り込み線ｃ２を付けて開閉部Ｐ２（又は破断部）が形成される。
表面部１１１及び／又は裏面部１１２に、ＰＴＰシート包装の医薬品に関する情報やケース基材１１の使用方法、組み立て方などが表示される。
その他各部の詳細については第１の実施の形態で説明したとおりである。
ケース基材１１はこのようにして構成され、これを、ＰＴＰシート包装の医薬品に関する情報シートとして、ＰＴＰシート包装の医薬品を包装するための医薬品包装用ケースとして使用する。例えば、このケース基材１１は調剤薬局などに置かれ、このケース基材１１に表示された医薬品を使用するユーザー又は薬剤師などの医療従事者に配布され、これが医薬品に関する情報シートとして、医薬品を包装するための医薬品包装用ケースとして使用される。なお、このケースの使用方法は第１の実施の形態で説明したとおりである。
このようにしても第１の実施の形態と概ね同様の効果を奏する。
【符号の説明】
【００２０】
Ｓ  医薬品包装用多目的シート
１  シート
Ｓ１  情報シート
１０  切り取り線（切り離し線）
１１  医薬品包装用ケース基材
Ｃ１１  医薬品包装用ケース
１１１  表面部
ｃ１  切り込み線
ｄ１  繋ぎ部
Ｐ１  可動部
Ｌ１  折れ線
１１２  裏面部
ｃ２  切り込み線
ｄ２  繋ぎ部
Ｐ２  開閉部
Ｐ３  切欠部
Ｌ２  折れ線
Ｌ３  折れ線
１１３  端面部
Ｎ  凹部
２  ロック手段
ｃ３  切り込み線
２０  ロック片挿通部
２１  ロック片
２１１  爪部
【図１】
0006698295.tif 000002
【図２】
0006698295.tif 000003
【図３】
0006698295.tif 000004
【図４】
0006698295.tif 000005
【図５】
0006698295.tif 000006
【図６】
0006698295.tif 000007
【図７】
0006698295.tif 000008
【図８】
0006698295.tif 000009
【図９】
0006698295.tif 000010
【図１０】
0006698295.tif 000011
【図１１】
0006698295.tif 000012